【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
画像データを評価する画像処理装置であって、
画像データを入力する画像データ入力手段と、
前記画像データを複数の異なる評価基準に基づいて集計結果を求める集計手段と、
画像データの評価手法として予め定めた自動処理により、前記異なる評価基準ごとの前記集計結果に基づいて画像データを評価する画像評価手段とを備えた画像処理装置。
【請求項２】
請求項１に記載の画像処理装置において、
前記画像評価手段は、画像データの評価手法を前記異なる評価基準に則して定めた評価基準対応処理と前記自動処理から選択する画像評価入力手段を備え、該画像評価入力手段より前記自動処理が選択されると、前記自動処理による画像データ評価を実行する画像処理装置。
【請求項３】
請求項１または請求項２に記載の画像処理装置において、
前記画像評価手段は、前記異なる評価基準ごとの前記集計結果を組み合わせて前記自動処理により画像データを評価する画像処理装置。
【請求項４】
請求項１ないし請求項３のいずれかに記載の画像処理装置において、
前記画像評価手段は、前記集計結果に基づいた前記自動処理による画像データの評価を行うにあたり、前記異なる評価基準ごとの前記集計結果を所定の重み付けで合算することを特徴とする画像処理装置。
【請求項５】
請求項１ないし請求項３のいずれかに記載の画像処理装置において、
前記集計手段は、前記画像データに含まれる画素の数を前記異なる評価基準に基づいて集計して前記集計結果を求める画像処理装置。
【請求項６】
請求項１ないし請求項５のいずれかに記載の画像処理装置において、
前記集計手段は、画素データを均等にサンプリングして集計する評価基準を、前記異なる評価基準の一の評価基準として用いて前記集計結果を求める画像処理装置。
【請求項７】
請求項１ないし請求項６のいずれかに記載の画像処理装置において、
前記集計手段は、画素データの各画素における隣接画素との変化度合いが大きい画素について評価を重くして集計する評価基準を、前記異なる評価基準の一の評価基準として用いて前記集計結果を求める画像処理装置。
【請求項８】
請求項４に記載の画像処理装置において、
前記重み付けを変更可能とした画像処理装置。
【請求項９】
請求項８に記載の画像処理装置において、
前記異なる評価基準ごとの前記集計結果に基づいた前記自動処理による評価結果に基づいて前記重み付けを変化させる画像処理装置。
【請求項１０】
画像データ入力し、
前記画像データを複数の異なる評価基準に基づいて集計結果を求め、
画像データの評価手法として予め定めた自動処理により、前記異なる評価基準ごとの前記集計結果に基づいて画像データを評価する画像処理方法。
【請求項１１】
コンピュータに、
画像データを入力する画像データ入力機能と、
前記画像データを複数の異なる評価基準に基づいて集計結果を求める集計機能と、
画像データの評価手法として予め定めた自動処理により、前記異なる評価基準ごとの前記集計結果に基づいて画像データを評価する画像評価機能と、を実現させる画像処理プログラムを記録した記録媒体。
【手続補正２】
【補正対象書類名】明細書
【補正対象項目名】発明の名称
【補正方法】変更
【補正の内容】
【発明の名称】画像処理装置、画像処理方法、および記録媒体
【手続補正３】
【補正対象書類名】明細書
【補正対象項目名】０００９
【補正方法】変更
【補正の内容】
【０００９】
上記目的を達成するため、本発明の画像処理装置は、
画像データを評価する画像処理装置であって、
画像データを入力する画像データ入力手段と、
前記画像データを複数の異なる評価基準に基づいて集計結果を求める集計手段と、
画像データの評価手法として予め定めた自動処理により、前記異なる評価基準ごとの前記集計結果に基づいて画像データを評価する画像評価手段と
を備えたことを特徴とする。
【手続補正４】
【補正対象書類名】明細書
【補正対象項目名】００１０
【補正方法】変更
【補正の内容】
【００１０】
上記のように構成した請求項１にかかる発明においては、画像データを入力し、各画素の画像データを複数の異なる評価基準に基づいて集計結果を求める。そして、画像データの評価手法として予め定めた自動処理により、異なる評価基準ごとの集計結果に基づいて画像データを評価する。ここにおいて、それぞれの評価基準に基づく集計結果を所定の重み付けで合算することもできる。
【手続補正５】
【補正対象書類名】明細書
【補正対象項目名】００１１
【補正方法】変更
【補正の内容】
【００１１】
すなわち、ポートレートのように画像のシャープな被写体をオブジェクトとして当該画像を評価するのに適当な評価基準もあれば、背景を重要なオブジェクトとして当該画像を評価するのに適当な評価基準もあり、これらの複数の評価基準に基づいて集計結果を求め、その求めた集計結果に基づいて、自動処理により画像データを評価する。
【手続補正６】
【補正対象書類名】明細書
【補正対象項目名】００１２
【補正方法】変更
【補正の内容】
【００１２】
ここで、集計結果は画像の特徴などを判定するのに使用可能なものであればよく、具体的に画像の種類を特定するような結果が得られる必要はない。例えば、画像を明るいと判定するか暗いと判定するかといった場合の輝度のヒストグラムなどといった指標も含むものであり、明るい画像であるとか暗い画像であるといった判定結果が得られる必要はない。むろん、明暗以外にも画像がシャープであるか否かの指標であるとか、鮮やかさを判断する際の指標であってもよい。
【手続補正７】
【補正対象書類名】明細書
【補正対象項目名】００１３
【補正方法】変更
【補正の内容】
【００１３】
集計結果に対して複数の評価基準を適用するためには、実質的に同様の目的を達するさまざまな手法を採用可能である。例えば、全画素について個別の評価基準で重み付けを与えて集計することもその一例である。但し、全画素について集計すると処理量が多くなるので、そのような状況に対して好適な一例として、上記画像データについて所定の基準で間引いて集計するにあたり、複数の評価基準に基づくサンプリングを行って集計するとともに、それぞれの集計結果を所定の重み付けで合算することもできる。
【手続補正８】
【補正対象書類名】明細書
【補正対象項目名】００１４
【補正方法】変更
【補正の内容】
【００１４】
集計する前提として画像データをサンプリングすれば、このサンプリングの仕方に対する基準を変えることによって結果的に複数の基準を採用することとなり、さらに、それぞれの集計結果の重み付けを調整して合算することにより、結果的に複数の評価基準に基づく評価結果に対してそれぞれ重み付けを持たせて評価したことに対応する。
【手続補正９】
【補正対象書類名】明細書
【補正対象項目名】００１５
【補正方法】変更
【補正の内容】
【００１５】
このような評価基準の基本的な一例として、一の評価基準が均等にサンプリングして集計する構成としてある。
【手続補正１０】
【補正対象書類名】明細書
【補正対象項目名】００１６
【補正方法】変更
【補正の内容】
【００１６】
上記のようにすれば、画像データが均等に間引かれるが、画像を全体的に捉えることになるので、風景写真などの判定に適した評価基準と言える。
【手続補正１１】
【補正対象書類名】明細書
【補正対象項目名】００１７
【補正方法】変更
【補正の内容】
【００１７】
一方、サンプリング手法を採用する場合と採用しない場合のいずれにも適用可能な評価基準の一例として、一の評価基準が各画素における隣接画素との変化度合いが大きい画素について評価を重くして集計するようにできる。
【手続補正１２】
【補正対象書類名】明細書
【補正対象項目名】００１８
【補正方法】変更
【補正の内容】
【００１８】
上記のように構成した場合、各画素における隣接画素との変化度合いを検出し、変化度合いが大きい画素について評価を重くして集計することにより、結果的に変化度合いの大きいはっきりした画像部分を評価する評価基準を採用することになる。
【手続補正１３】
【補正対象書類名】明細書
【補正対象項目名】００２０
【補正方法】変更
【補正の内容】
【００２０】
評価基準の重み付けは必ずしも固定的でなければならないわけではなく、各評価基準に対する重み付けを変更可能に構成できる。
【手続補正１４】
【補正対象書類名】明細書
【補正対象項目名】００２１
【補正方法】変更
【補正の内容】
【００２１】
上記のようにそれぞれの評価基準に対する重み付けを変更することにより、画像に対応した総合評価結果を導き出すことが可能となる。この場合、それぞれの重み付けを個別に変更するものであるとか、複数の組合せを予め用意しておき、その組合せを選択するというものなど各種の態様が含まれる。
【手続補正１５】
【補正対象書類名】明細書
【補正対象項目名】００２２
【補正方法】変更
【補正の内容】
【００２２】
また、このような重み付けの変更自体を操作者が行うのではなく、画像データに基づいて実現することも含まれ、その一例として、各評価基準に基づく評価結果に基づいて当該評価結果の重み付けを変化させる構成としてある。
【手続補正１６】
【補正対象書類名】明細書
【補正対象項目名】００２３
【補正方法】変更
【補正の内容】
【００２３】
上記のように構成すれば、各評価基準で評価結果を得て、その評価結果からそれぞれの評価基準の適応性など勘案して当該評価結果の重み付けを変化させる。
【手続補正１７】
【補正対象書類名】明細書
【補正対象項目名】００２７
【補正方法】変更
【補正の内容】
【００２７】
例えば、本発明は、画像処理方法としては、画像データを入力し、前記画像データを複数の異なる評価基準に基づいて集計結果を求め、画像データの評価手法として予め定めた自動処理により、前記異なる評価基準ごとの前記集計結果に基づいて画像データを評価する画像処理方法を考えることができる。また、記録媒体の発明としては、コンピュータに、画像データを入力する画像データ入力機能と、前記画像データを複数の異なる評価基準に基づいて集計結果を求める集計機能と、画像データの評価手法として予め定めた自動処理により、前記異なる評価基準ごとの前記集計結果に基づいて画像データを評価する画像評価機能と、を実現させる画像処理プログラムを記録した記録媒体として、本発明を把握することもできる。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】